(57)【要約】【課題】フルセグ放送波およびワンセグ放送波を受信可能なデジタル放送受信装置であって、チャンネルスキャンの時間を短縮することができるデジタル放送受信装置を提供する。【解決手段】フルセグメント放送信号の放送波およびワンセグメント放送信号の放送波とを受信し、受信したフルセグメント放送信号およびワンセグメント放送信号を視聴可能な形式に変換するデジタル放送受信装置であって、前記フルセグメント放送信号の放送波が受信可能であるかチャンネル毎にスキャンし、前記スキャン時において、前記フルセグメント放送信号の放送波の受信レベルが所定レベル以下であるチャンネルを特定する第１の手段と、前記第１の手段によって特定されたチャンネルを記憶する記憶手段と、前記記憶手段に記憶されたチャンネルのみについて、前記ワンセグメント放送信号の放送波が受信可能であるかスキャンする第２の手段とを備えたことを特徴とする。【選択図】図５
2011259235.tif 000002
【特許請求の範囲】
【請求項１】
フルセグメント放送信号の放送波およびワンセグメント放送信号の放送波とを受信し、受信したフルセグメント放送信号およびワンセグメント放送信号を視聴可能な形式に変換するデジタル放送受信装置であって、
前記フルセグメント放送信号の放送波が受信可能であるかチャンネル毎にスキャンし、前記スキャン時において、前記フルセグメント放送信号の放送波の受信レベルが所定レベル以下であるチャンネルを特定する第１の手段と、
前記第１の手段によって特定されたチャンネルを記憶する記憶手段と、
前記記憶手段に記憶されたチャンネルのみについて、前記ワンセグメント放送信号の放送波が受信可能であるかスキャンする第２の手段と、
を備えたことを特徴とするデジタル放送受信装置。
【請求項２】
前記第１の手段は、前記フルセグメント放送信号の放送波が受信可能であるかチャンネル毎にスキャンし、前記スキャン時において、前記フルセグメント放送信号の放送波の受信レベルが所定レベル以上であるチャンネルを特定することを特徴とする請求項１に記載のデジタル放送受信装置。
【請求項３】
前記第１の手段は、前記フルセグメント放送信号のサービスＩＤが捕捉できた場合、前記フルセグメント放送信号の放送波が受信可能であると判定することを特徴とする請求項１または２に記載のデジタル放送受信装置。
【請求項４】
前記第２の手段は、前記ワンセグメント放送信号のサービスＩＤが捕捉できた場合、前記ワンセグメント放送信号の放送波が受信可能であると判定することを特徴とする請求項１から３のいずれか一つに記載のデジタル放送受信装置。
【発明の詳細な説明】
【技術分野】
【０００１】
本発明は、地デジ放送（フルセグメント放送）およびワンセグメント放送を受信するデジタル放送受信装置に関する。
【背景技術】
【０００２】
従来、デジタルテレビ放送等により放送される地デジ放送（フルセグメント放送、以下、フルセグ放送という。）信号およびワンセグメント放送（以下、ワンセグ放送という。）信号の放送波を受信するデジタル放送受信装置が知られている。上記のデジタル放送受信装置は、受信したフルセグ放送信号およびワンセグ放送信号を再生可能な形式に変換し、変換されたフルセグ放送信号およびワンセグ放送信号をホスト機器（例えば、ＰＣ）に供給する。
【先行技術文献】
【特許文献】
【０００３】
【特許文献１】特開２００７−１６６１５１号公報
【発明の概要】
【発明が解決しようとする課題】
【０００４】
ところで、フルセグ放送信号の放送波（以下、フルセグ放送波という。）およびワンセグ放送信号の放送波（以下、ワンセグ放送波という。）の受信時においては、放送波の受信可否の判定手法が異なっている。そのため、フルセグ放送波およびワンセグ放送波に対して、各チャンネルの放送波について受信可否の判定（所謂、チャンネルスキャン）を行う場合、それぞれの放送波に対するチャンネルスキャンをシーケンシャルに行わなくてはならない。
【０００５】
ここで、フルセグ放送波若しくはワンセグ放送波に対するチャンネルスキャンは、ＶＨＦの１〜１２ｃｈと、ＵＨＦの１３〜６２ｃｈと、ＣＡＴＶ（Common Antenna TeleVision）の１３〜６３ｃｈとの計１１３チャンネルを対象とするので、上記のように、フルセグ放送波およびワンセグ放送波に対してシーケンシャルに行われるチャンネルスキャンは、計２２６チャンネルを対象とする。そして、チャンネルスキャンは、各チャンネル毎に、約２〜３秒を要するので、上記のようなフルセグ放送波およびワンセグ放送波に対するチャンネルスキャンは、約１１分を要し、時間がかかるという問題があった。
【０００６】
なお、上記特許文献１には、ワンセグ放送波のみを受信可能な受信機であって、受信可能なワンセグ放送波のチャンネルをサーチして停止するチャンネルサーチにおいて、ワンセグ放送波が受信不能であることを判定する時間を短縮することを課題とし、放送波にワンセグ放送が行われていることを示すパケットが含まれているかを確認することによって、チャンネルサーチの時間を短縮する技術が開示されている。しかしながら、該技術は、受信可能な放送波のチャンネルを、複数、抽出するものではない。
【０００７】
そこで、本発明は、フルセグ放送波およびワンセグ放送波を受信可能なデジタル放送受信装置であって、チャンネルスキャンの時間を短縮することができるデジタル放送受信装置を提供することを目的とする。
【課題を解決するための手段】
【０００８】
上述した課題を解決するために、本発明は以下のような特徴を有している。まず、本発明の第１の特徴は、フルセグメント放送信号の放送波およびワンセグメント放送信号の放送波とを受信し、受信したフルセグメント放送信号およびワンセグメント放送信号を視聴可能な形式に変換するデジタル放送受信装置であって、前記フルセグメント放送信号の放送波が受信可能であるかチャンネル毎にスキャンし、前記スキャン時において、前記フルセグメント放送信号の放送波の受信レベルが所定レベル以下であるチャンネルを特定する第１の手段と、前記第１の手段によって特定されたチャンネルを記憶する記憶手段と、前記記憶手段に記憶されたチャンネルのみについて、前記ワンセグメント放送信号の放送波が受信可能であるかスキャンする第２の手段とを備えたことを要旨とする。
【０００９】
このようなデジタル放送受信装置によれば、フルセグメント放送信号の放送波のスキャンを各チャンネルに対して行う際に、フルセグメントのサービスＩＤが捕捉できないといった、受信レベルが所定以下のチャンネルを記憶し、引き続き行われる、ワンセグメント放送信号の放送波のスキャンは、記憶されたチャンネルのみについて行う。そのため、フルセグメント放送に対して、サイマル放送が行われているワンセグメント放送信号の放送波のスキャンにおいては、フルセグメント放送信号の放送波を受信できないが、ワンセグメント放送信号の放送波を受信できる信号レベルの送信信号のチャンネルのみに対して、チャンネルスキャンを行うことが可能となり、ワンセグ放送波のチャンネルスキャンの対象となるチャンネル数を減らすことが可能になる。
【００１０】
これにより、フルセグ放送およびワンセグ放送を受信可能なデジタル放送受信装置において、チャンネルスキャンの時間を短縮することができる。
【００１１】
また、本発明の第２の特徴は、本発明の第１の特徴に係り、前記第１の手段は、前記フルセグメント放送信号の放送波が受信可能であるかチャンネル毎にスキャンし、前記スキャン時において、前記フルセグメント放送信号の放送波の受信レベルが所定レベル以上であるチャンネルを特定することを要旨とする。
【００１２】
このような特徴によれば、サイマル放送のようにフルセグメント放送信号とワンセグメント放送信号の内容が一致している放送以外に、両者の内容が一致していない独自放送が行われている場合においても、高レベルにて送信されているフルセグメント放送信号の放送波と同チャンネルのワンセグメント放送信号を得ることができる。
【００１３】
また、本発明の第３の特徴は、本発明の第１または第２の特徴に係り、前記第１の手段は、前記フルセグメント放送信号のサービスＩＤが捕捉できた場合、前記フルセグメント放送信号の放送波が受信可能であると判定することを要旨とする。
【００１４】
このような特徴によれば、フルセグメント放送信号の放送波の受信を、フルセグメント放送信号のサービスＩＤの捕捉によって判定することができる。
【００１５】
また、本発明の第４の特徴は、本発明の第１から第３のいずれか一つの特徴に係り、前記第２の手段は、前記ワンセグメント放送信号のサービスＩＤが捕捉できた場合、前記ワンセグメント放送信号の放送波が受信可能であると判定することを要旨とする。
【００１６】
このような特徴によれば、ワンセグメント放送信号の放送波の受信を、ワンセグメント放送信号のサービスＩＤの捕捉によって判定することができる。
【発明の効果】
【００１７】
本発明によれば、フルセグ放送信号の放送波およびワンセグ放送信号の放送波を受信できるデジタル放送受信装置であって、チャンネルスキャンの時間を短縮できるデジタル放送受信装置を提供できる。
【図面の簡単な説明】
【００１８】
【図１】本発明の実施形態に係るデジタル放送受信装置の構成を示すブロック図である。
【図２】フルセグ放送信号とワンセグ放送信号の違いを示す図である。
【図３】本実施形態に係るデジタル放送受信装置において、受信放送波の平均ＣＮＲ（搬送波対雑音比、Carrier vs. Noise Ratio）によって、受信放送波の受信の可否を判定する場合の閾値を示す図である。
【図４】本実施形態に係るデジタル放送受信装置のチャンネルスキャンの動作を示すフローチャートである。
【図５】本実施形態に係るデジタル放送受信装置のチャンネルスキャンにおけるフルセグスキャンの処理を示すフローチャートである。
【図６】本実施形態に係るデジタル放送受信装置のチャンネルスキャンにおけるワンセグスキャンの処理を示すフローチャートである。
【発明を実施するための形態】
【００１９】
次に、図面を参照して、本発明のデジタル放送受信装置の実施形態について説明する。具体的には、（１）全体構成、（２）デジタル放送受信装置の動作、（３）作用・効果、（４）その他の実施形態について説明する。以下の実施形態における図面の記載において、同一又は類似の部分には同一又は類似の符号を付している。
【００２０】
（１）全体構成
（１．１）全体の構成および各部の処理の概略
図１は、本実施形態に係るデジタル放送受信装置１００の構成を示すブロック図である。図２は、フルセグ放送とワンセグ放送の違いを示す図である。図３は、本実施形態に係るデジタル放送受信装置において、受信放送波の平均ＣＮＲによって、受信放送波の受信の可否を判定する場合の閾値を示す図である。本実施形態においては、デジタル放送受信装置１００がフルセグ放送波およびワンセグ放送波を受信するものとする。なお、フルセグ放送とは、図２に示すように、６ＭＨｚの帯域における全セグメント（１３セグメント）を使用する放送であり、ワンセグ放送とは全セグメントの内の１セグメントを使用する放送をいう。
【００２１】
図１に戻って、デジタル放送受信装置１００は、フルセグ放送波若しくはワンセグ放送波を受信し、受信したフルセグ放送信号若しくはワンセグ放送信号を再生可能な形式に変換し、変換されたフルセグ放送信号若しくはワンセグ放送信号を、ＵＳＢ端子を介して接続される、例えば、ノートＰＣであるホスト機器に供給する。デジタル放送受信装置１００は、カード装着部１１０、アンテナ端子１２５、ＲＦ（Radio Frequency）回路１３１、復調回路１３２、主制御回路１３３、電源回路１３４、読み取り回路１３５、記憶部１３６及びＵＳＢ（Universal Serial Bus）コネクタ１４０を有する。
【００２２】
アンテナ端子１２５には、アンテナ１２０が接続される。アンテナ１２０としては、伸縮可能なロッドアンテナが使用できる。アンテナ端子１２５には、ケーブルを介して、ロッドアンテナよりも高感度の外部アンテナが接続されてもよい。あるいは、アンテナ端子１２５には、Ｆ型コネクタ変換アダプタを介して、家庭用のテレビアンテナが接続されてもよい。以下においては、アンテナ１２０がロッドアンテナであるものとする。
【００２３】
アンテナ１２０が受信したＲＦ帯のフルセグ放送波若しくはワンセグ放送波は、アンテナ端子１２５を介してＲＦ回路１３１に入力される。ＲＦ回路１３１は、入力されたフルセグ放送波若しくはワンセグ放送波を増幅するとともに低周波数に変換して復調回路１３２に入力する。復調回路１３２は、入力されたフルセグ放送信号若しくはワンセグ放送信号をＯＦＤＭ復調して主制御回路１３３に入力する。
【００２４】
カード装着部１１０には、アンテナ１２０が受信したフルセグ放送信号を再生可能な形式に変換するためのＩＣカードの一種であるＢ−ＣＡＳカード１５０が装着される。ここで、「再生可能な形式」とは、例えばフルセグ放送信号の暗号化が解除されている状態を意味する。ただし、暗号化が解除されたフルセグ放送信号に対してローカルな暗号化が施された状態であってもよい。
【００２５】
Ｂ−ＣＡＳカード１５０は、電波産業会（ＡＲＩＢ）規格に準拠したプラグインＳＩＭ（Subscriber Identification Module）形状を有する。Ｂ−ＣＡＳカード１５０は、日本のフルセグ放送信号に施された暗号化を解除するためのデータを格納している。具体的には、Ｂ−ＣＡＳカード１５０は、カード固有の識別情報とともに暗号鍵データを格納するＩＣチップを有する。
【００２６】
読み取り回路１３５は、Ｂ−ＣＡＳカード１５０から暗号鍵データを読み取って主制御回路１３３に入力する。主制御回路１３３は、復調回路１３２からの復調後のフルセグ放送信号に対し、読み取り回路１３５からの暗号鍵データを用いた復号を行う。これにより、フルセグ放送信号の暗号化が解除される。
【００２７】
なお、ワンセグ放送の受信については、Ｂ−ＣＡＳカード１５０は不要である。
【００２８】
記憶部１３６は、主制御回路１３３が所定の動作を行うための動作プログラムや、各種作業用の一時データを記憶する他に、後述するような、主制御回路１３３の受信判定処理において、フルセグ放送波およびワンセグ放送波のチャンネルスキャンを行うためのチャンネルデータや、受信が可能であったチャンネルデータ等を記憶する。
【００２９】
ＵＳＢコネクタ１４０は、ケーブルを介さずにホスト機器に直接的に接続される。本実施形態では、ＵＳＢコネクタ１４０は、ＵＳＢ２．０規格に準拠した構成を有する。ＵＳＢコネクタ１４０には、デジタル放送受信装置１００を駆動するための電力がホスト機器から供給される。電源回路１３４は、ホスト機器からの電力を安定化して各ブロックに供給する。
【００３０】
（１．２）主制御回路の受信判定処理
以下に、主制御回路１３３の受信判定処理について説明する。
まず、主制御回路１３３は、ＲＦ回路１３１から、フルセグ放送波およびワンセグ放送波の平均ＣＮＲを、図示しない内部バス等によって入力し、次のように、フルセグ放送波またはワンセグ放送波の受信の可否、チャンネルロックの可否の判定を行う。以後、「受信が可能である」という状態は、「受信したフルセグ放送信号もしくはワンセグ放送信号が視聴可能である」という状態を示すものとする。
【００３１】
ここで、図３を参照して、主制御回路１３３による、フルセグ放送波またはワンセグ放送波の受信の可否の判定、フルセグ放送波のチャンネルロックの可否の判定についての詳細を説明する。図３は、本実施形態に係るデジタル放送受信装置において、受信放送波の平均ＣＮＲによって、受信放送波の受信の可否等を判定する場合の閾値を示す図である。図３において、縦軸は、平均ＣＮＲを単位ｄＢｍによって表し、横軸は、時間ｔを表している。図３に示すように、主制御回路１３３は、受信したフルセグ放送波またはワンセグ放送波の平均ＣＮＲが、閾値ＴＨ１（＝２０ｄＢｍ）以上である時に、フルセグ放送波またはワンセグ放送波が受信可能と判定する。また、主制御回路１３３は、受信したワンセグ放送波の平均ＣＮＲが、閾値ＴＨ２（＝１０ｄＢｍ）以上である時に、ワンセグ放送波が受信可能と判定する。また、主制御回路１３３は、受信したフルセグ放送波の平均ＣＮＲが、閾値ＴＨ３（＝４ｄＢｍ）以上である時に、フルセグ放送波のチャンネルロックが可能と判定する。
【００３２】
なお、ＣＮＲは、信号レベルとノイズレベルとの比であり、ノイズレベルが一定と考えられる状況においては、信号レベルに比例する量と考えられる。よって、上記のようなＣＮＲによる放送波の受信の可否若しくは放送波のチャンネルロックは、信号レベルに基づいて行われてもよい。
【００３３】
また、主制御回路１３３は、フルセグ放送波またはワンセグ放送波の受信の可否を、下記のように、フルセグ放送信号またはワンセグ信号に含まれるパケット類の受信の可否によって判定することもできる。すなわち、主制御回路１３３は、フルセグ放送信号をなすトランスポートストリーム（Transport Stream）から、ＰＡＴ（Program Association Table）パケット、ＰＭＴ（Program Map Table）パケットおよびＳＤＴ（Service Description Table）パケットが全て受信できた場合に、フルセグ放送波が受信可能であると判定することもできる。また、主制御回路１３３は、ワンセグ放送信号をなすトランスポートストリームから、少なくとも、ＳＤＴパケットが受信できた場合に、ワンセグ放送波が受信可能であると判定することもできる。
【００３４】
ここで、フルセグ放送信号において、ＰＡＴパケット、ＰＭＴパケットおよびＳＤＴパケットは、フルセグ放送信号のサービスＩＤを格納している。また、ワンセグ放送信号において、ＳＤＴパケットは、ワンセグ放送信号のサービスＩＤを格納している。よって、上記のように、所定のパケットの受信をもってフルセグ放送波若しくはワンセグ放送波が受信可能であるかを判定する際に、サービスＩＤが併せて捕捉されることになる。すなわち、サービスＩＤが捕捉されると、フルセグ放送波若しくはワンセグ放送波が受信可能と判定することもできる。
【００３５】
そして、主制御回路１３３は、フルセグ放送波およびワンセグ放送波のチャンネルスキャンを行うためのチャンネルデータや、受信が可能であったチャンネルデータ等を、記憶部１３６に記憶する。
【００３６】
（２）デジタル放送受信装置の動作
次に、本実施形態に係るデジタル放送受信装置のチャンネルスキャンの動作を、図４〜図６を参照して説明する。なお、本実施形態においては、同一チャンネルのフルセグ放送信号とワンセグ放送信号とによって同一の内容を放送する、所謂、サイマル放送が行われているものとする。
【００３７】
図４は、本実施形態に係るデジタル放送受信装置のチャンネルスキャンの動作を示すフローチャートである。例えば、ユーザによってチャンネルスキャンの指示がなされた場合に、図４に示されるように、デジタル放送受信装置のチャンネルスキャンの動作が開始される。まず、変数Ｎに１が代入され、変数Ｍに１が代入される（ステップＳ１）。次に、フルセグ放送におけるチャンネルスキャン（以下、「フルセグスキャン」という。）が行われる（ステップＳ２）。次に、変数Ｎがインクリメントされる（プラス１される。）（ステップＳ３）。次に、変数Ｎが１１３になったか否かが判断される（ステップＳ４）。変数Ｎが１１３になると判断されるまでに、ステップＳ２〜Ｓ３の処理が繰り返される。一方、変数Ｎが１１３になったと判断された場合、ステップＳ５に移行する。
【００３８】
ここで、ステップＳ２における、フルセグスキャンの詳細な動作について、図５を参照しながら説明する。図５は、本実施形態に係るデジタル放送受信装置のチャンネルスキャンにおけるフルセグスキャンの処理を示すフローチャートである。まず、チャンネルＮについてチャンネルスキャンが行われる（ステップＳ２１）。次に、チャンネルロックができたかが判断される（ステップＳ２２）。チャンネルロックができなかったと判断された場合、図４におけるステップＳ３に戻る。一方、ステップＳ２２において、チャンネルロックができたと判断された場合、フルセグ放送波が受信可能な状態になることによって、フルセグ放送のサービスＩＤが捕捉できたかが判断される（ステップＳ２３）。ステップＳ２３において、フルセグ放送のサービスＩＤが捕捉できたと判断された場合、ステップＳ２４へ進み、該チャンネルＮのフルセグ放送波が受信可能であることが記憶部１３６に記憶されて、図４におけるステップＳ３に戻る。
【００３９】
一方、ステップＳ２３において、フルセグ放送信号のサービスＩＤが捕捉できなかったと判断された場合、すなわち、フルセグ放送波の受信が不能と判断された場合、ステップＳ２５へ進み、前述したように、フルセグ放送波の受信はできないが、ワンセグ放送波の受信ができる可能性があるチャンネルとして、該チャンネルＮの値を、後述するワンセグ放送におけるチャンネルスキャンを行う候補のチャンネルとして、数列ＫM（数列ＫのＭ番目）に代入して、記憶部１３６に記憶させる。そして、変数Ｍがインクリメントされて（ステップＳ２６）、図４におけるステップＳ３に戻る。
【００４０】
そして、図４に戻り、ステップＳ５において、変数Ｌに１が代入される。次に、ワンセグ放送におけるチャンネルスキャン（以下、「ワンセグスキャン」という。）が行われる（ステップＳ６）。次に、変数Ｌがインクリメントされる（ステップＳ７）。次に、変数ＮがＭと等しくなったか否かが判断される（ステップＳ８）。変数ＬがＭと等しくなると判断されるまで、ステップＳ５〜Ｓ６の処理が繰り返される。一方、変数ＬがＭと等しくなったと判断された場合、本実施形態に係るデジタル放送受信装置のチャンネルスキャン動作は終了する。
【００４１】
ここで、ステップＳ６における、ワンセグスキャンの詳細な動作について、図６を参照しながら説明する。図６は、本実施形態に係るデジタル放送受信装置のチャンネルスキャンにおけるワンセグスキャンの処理を示すフローチャートである。まず、数列ＫＬで示されるチャンネルＫＬについてチャンネルスキャンが行われる（ステップＳ６１）。次に、ワンセグ放送波が受信可能な状態になることによって、ワンセグ放送信号のサービスＩＤが捕捉できたかが判断される（ステップＳ６２）。ステップＳ６２において、ワンセグ放送信号のサービスＩＤが捕捉できた判断された場合、ステップＳ６３へ進み、該チャンネルＫＬのワンセグ放送波が受信可能であることが記憶部１３６に記憶されて、図４におけるステップＳ７に戻る。一方、ステップＳ６２において、ワンセグ放送のサービスＩＤが捕捉できなかったと判断された場合、図４におけるステップＳ７に戻る。
【００４２】
（３）作用・効果
以上、説明したように、本実施形態は、フルセグ放送波のチャンネルスキャンを全チャンネルに対して行う際に、フルセグのサービスＩＤが捕捉できなかったチャンネルを記憶し、引き続き行われる、ワンセグ放送波のチャンネルスキャンは、記憶されたチャンネルのみについて行うようにした。そのため、ワンセグ放送波のチャンネルスキャンにおいては、フルセグ放送波を受信できないが、ワンセグ放送波を受信できる信号レベルの送信信号のチャンネルのみに対して、チャンネルスキャンを行うことが可能となり、ワンセグ放送波のチャンネルスキャンの対象となるチャンネル数を減らすことが可能になり、チャンネルスキャンの時間短縮を図ることができる。
【００４３】
例えば、東京において、上述したフルセグスキャンによって、９つのチャンネルのサービスＩＤが捕捉できなかった（フルセグ放送波が受信不能と判断された）場合、フルセグ放送波およびワンセグ放送波に対してシーケンシャルに行われるチャンネルスキャンは、計１２２チャンネルを対象とする。よって、該チャンネルスキャンの所要時間は、約６分となり、従来におけるチャンネルスキャンに比して、約半分となるので、本実施形態は有効である。
【００４４】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００４５】
本実施形態においては、フルセグ放送波およびワンセグ放送波が、フルセグ放送信号もワンセグ放送信号も同一の内容とするサイマル放送を行っているとして、フルセグ放送波のチャンネルスキャンで受信ができたチャンネルは、その後の、ワンセグ放送波のチャンネルスキャンではスキャンの対象から外す例を例示した。
【００４６】
しかしながら、フルセグ放送およびワンセグ放送は、上記のようなサイマル放送に限らず、各々独自の放送信号によって放送される独自放送であってもよい。この場合、フルセグ放送波のチャンネルスキャンで受信ができたチャンネルを、その後の、ワンセグ放送波のチャンネルスキャンでスキャンの対象とする処理を行うことになる。この処理を行う際には、図５における、ステップＳ２３における処理において、フルセグのサービスＩＤがとれた時のチャンネルを、ステップＳ２５におけるワンセグスキャンの候補とすればよい。
【００４７】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００４８】
１００…デジタル放送受信機、１１０…カード装着部、１１１…保持部、１２０…アンテナ、１２５…アンテナ端子、１３１…ＲＦ回路、１３２…復調回路、１３３…主制御回路、１３４…電源回路、１３５…読み取り回路、１３６…記憶部、１４０…ＵＳＢコネクタ、１５０…Ｂ−ＣＡＳカード
【図１】
2011259235.tif 000003
【図２】
2011259235.tif 000004
【図３】
2011259235.tif 000005
【図４】
2011259235.tif 000006
【図５】
2011259235.tif 000007
【図６】
2011259235.tif 000008